(57)【要約】  可撓性バッグのためのホルダは、バッグ受入れ区域１４を画定し、凹所を画定するロック部分を有するフレーム１１と、凹所から外に配置される解除位置と凹所に配置されるロック位置との間を移動するための、ロック部分によって支えられたロック部材とを含み、ロック部材は、バッグのギャザー部分を受けとるために、ロック部材がその解除位置に配置されたときにはアクセス可能であり、ロック位置がそのロック位置に配置されたときにはアクセス不能であるバッグ保持切欠きを中に有する。
2007529377.tif 000002
【特許請求の範囲】
【請求項１】
可撓性バッグのためのホルダであって、
バッグ受入れ区域を画定し、凹所を画定するロック部分を有するフレームと、
前記凹所の外に配置される解除位置と前記凹所の中に配置されるロック位置との間を移動するための、前記ロック部分によって支えられたロック部材と
を含み、
前記ロック部材は、前記ロック部材がその解除位置に配置されたときにはアクセス可能であり、前記ロック位置がそのロック位置に配置されたときにはアクセス不能であるバッグ保持切欠きを中に有する
ホルダ。
【請求項２】
前記フレームが上縁部を有する開放頂部受入れ容器であり、前記ロック部分は前記上縁部に隣接して配置されている請求項１に記載のホルダ。
【請求項３】
前記ロック部材をその解除位置とロック位置の間で旋回移動するために支持する旋回構造をさらに含む請求項１に記載のホルダ。
【請求項４】
前記旋回構造が前記凹所の両端間を延在する旋回軸を含む請求項３に記載のホルダ。
【請求項５】
前記切欠きが第１切欠きであり、前記ロック部材が前記旋回軸を中に受け入れるようにした第２切欠きを含む請求項４に記載のホルダ。
【請求項６】
前記第２切欠きが部分円筒状部分と、前記部分円筒状部分の直径よりも僅かに小さな幅を有するスロートにおいて前記部分円筒状部分と連絡するテーパー付けされた部分とを含む請求項５に記載のホルダ。
【請求項７】
前記ロック部材が、前記ロック部材のそのロック位置と解除位置の間の移動を容易にするために、使用者によってアクセス可能なハンドル・タブを含む請求項１に記載のホルダ。
【請求項８】
上縁部を有する開放頂部受入れ容器と、
前記上縁部に隣接する受入れ容器の上の結合部分と、
前記受入れ容器へアクセスさせる開位置と前記受入れ容器の開放頂部を閉じる閉位置との間で旋回移動するための結合部分に連結されたふたと、
前記結合部分によって支えられ、付属の可撓性受入れ容器の裏張りとロック係合するようになっているロック機構と
を含む容器。
【請求項９】
前記ロック機構が前記ロック機構の旋回運動に適応するための旋回構造を含む請求項８に記載の容器。
【請求項１０】
前記ロック機構が、前記結合部分に形成された凹所と、前記凹所の外に配置される解除位置と前記凹所の中に配置されるロック位置との間で移動可能なロック部材とを含む請求項８に記載の容器。
【請求項１１】
前記ロック部材が、前記ロック部材がその解除位置に配置されたときにはアクセス可能であり、前記ロック部材がそのロック位置に配置されたときにはアクセス不能である切欠きを中に有する請求項１０に記載の容器。
【請求項１２】
前記ロック部材が、前記ロック部材のそのロック位置と解除位置の間の移動を容易にするために、使用者によってアクセス可能なハンドル・タブを含む請求項１１に記載の容器。
【請求項１３】
前記結合部分に隣接して配置された受入れ容器ハンドルをさらに含む請求項８に記載の容器。
【請求項１４】
前記ふたが前記ハンドルに旋回式に結合されている請求項１３に記載の容器。
【請求項１５】
可撓性バッグを支持するための方法であって、
バッグ受入れ区域を画定するフレームであって、バッグ保持切欠きを中に備え、フレームに対するロック位置と解除位置との間で凹所を入出移動可能なロック部材を有するフレームを提供するステップと、
バッグのネックを前記フレームの上にかけて前記バッグを前記バッグ受入れ区域に配置するステップと、
前記バッグのネックの一部分をかき寄せて、これを解除位置にある間に前記ロック部材内の前記切欠きの中に挿入するステップと、
前記ロック部材をそのロック位置に動かして、前記バッグ・ネックの前記ギャザー部分を前記凹所の中に運び、前記バッグ・ネックを前記フレームにロックするステップと
を含む方法。
【請求項１６】
前記ロック部材の動きがその旋回移動を含む請求項１５に記載の方法。
【請求項１７】
前記提供ステップが、開放頂部受入れ容器の形のフレームを提供することを含み、前記配置ステップが前記バッグを前記受入れ容器の中に配置することを含む請求項１５に記載の方法。
【発明の詳細な説明】
【技術分野】
【０００１】
本発明は容器に関し、具体的には廃棄物を受け入れるためなどの可撓性バッグを支持するためのデバイスに関する。
【背景技術】
【０００２】
くず入れ及びその他の受入れ容器は、使い捨ての可撓性バッグ又はその他の形式の可撓性裏張りによって裏張りされることが通常である。このような場合、バッグは受入れ容器の中に配置され、バッグの上端部は受入れ容器の縁部の上で裏側に折り畳まれる。しかし、廃棄物又はその他の内容物はバッグの中に溜まっているので、これによってバッグの上端部が受入れ容器の中に滑り落ちることは通常である。これを防止するために、バッグの上端部の一部分をかき寄せて、これを結んで結び目などにするか、バッグを受入れ容器縁部の外側に対してさらにきつく保持することは、使用者によっては普通である。
【０００３】
さらに、受入れ容器とは別であるか又は受入れ容器に取り付けられている、さまざまな形式のバッグ掴み又は保持デバイスを提供することも知られている。個別の保持器は失くしたり置き忘れたりし易く、受入れ容器に取り付けられた保持器は不適切な性能を有しているか、又は過度に複雑になっている。
【発明の開示】
【発明が解決しようとする課題】
【０００４】
本発明は、従来の技術の欠点を回避すると共に追加の構造的及び動作的利点を提供するバッグ又は裏張り保持技術を開示する。
【課題を解決するための手段】
【０００５】
簡単で経済的な構成であり、確実なバッグ保持を提供する保持技術が得られる。
【０００６】
ある実施例では、バッグ受入れ区域を画定し凹所を画定するロック部分を有するフレームと、凹所の外に配置される解除位置と凹所の中に配置されるロック位置との間を移動するためにロック部分によって支えられたロック部材とを含む、可撓性バッグのためのホルダが提供され、前記ロック部材はその中にバッグ保持切欠きを有し、このバッグ保持切欠きは、ロック部材がその解除位置に配置されているときにはアクセス可能であり、ロック部材がそのロック位置に配置されているときにはアクセス不能である。
【０００７】
さらに旋回ふたを備えた容器も提供され、旋回ふたは、これが容器と結合される領域に隣接して上記の形式のホルダを組み込む。
【０００８】
さらに可撓性バッグを支持する方法も提供され、この方法は、バッグ受入れ区域を画定するフレームであって、バッグ保持切欠きを中に備え、フレームに対するロック位置と解除位置との間でスロットを入出移動ができるロック部材を有するフレームを提供するステップと、バッグのネックをフレームの上にかけてバッグをバッグ受入れ区域に配置するステップと、バッグのネックの一部分をかき寄せて、これを解除位置にある間にロック部材内の切欠きの中に挿入するステップと、ロック部材をそのロック位置に動かして、バッグ・ネックのギャザー部分をスロットの中に運び、バッグ・ネックをフレームにロックするステップを含む。
【０００９】
保護しようとする主題を理解し易くする目的で添付の図面にその実施例を図解するが、これらの実施例を調べることによって、下記の説明と共に考察すると、保護しようとする主題、その構成と動作、及びその利点の多くが容易に理解され正しく認識されるはずである。
【実施例】
【００１０】
図１〜４を参照すると、全体的に参照番号１０を付けた廃棄物容器が図示されており、この容器は直立周囲側壁１１を有し、この直立周囲側壁１１は、その下端部において底壁１２（図３）によって閉じられ、廃棄物受入れ容器の中に開く入口を画定する上縁部１３において終端している。所望であれば、ある周知の方法ですべて、受入れ容器を可撓性廃棄物バッグ又は裏張りによって裏打ちして廃棄物の廃棄を容易にし、廃棄物容器１０を保護してもよい。この場合、廃棄物容器１０はバッグ・ホルダとして働き、周囲側壁１１はバッグを受け入れるバッグ受入れ区域１４を画定するフレームを形成し、次いでこのバッグの開放ネックは、周知の方法で、また後で詳細に説明するように一般的に上縁部１３の上に巻きつけられることが理解されよう。周囲側壁１１の後部分はその上端部において結合部分１５を備え、ここで旋回ふた１６が結合されている。ふた１６を、適当な連動機構（図示せず）によってふた１６に連結された足踏みペダル１７によって上昇位置と下降位置との間を移動可能にすることもでき、この連動機構は、周囲側壁１１の後部分の上に形成されたチャネル１８の中で上向きに延在してもよい。
【００１１】
具体的には、結合部分１５は、一対の後方に延在するアーム２０を含み、アーム２０の間に周囲側壁１１から後方に離隔した筒形ハンドル２１を支持する。それぞれのアーム２０から停止ラグ２１ａが横方向内向きに突出してもよい。旋回軸（図示せず）がハンドル２１を通じて延在し、その対向する両端部においてそれぞれ、ふた１６から延在してその旋回移動に上昇位置と下降位置との間で適応する旋回アーム２２に結合されてもよい。旋回アーム２２の内側で結合アーム２３がやはりふた１６から突出し、各結合アーム２３は、貫通形成された扁長のスロット２４（１つを図示）を有し、これは、足踏みペダル１７への上記の連動機構の一部であるリフト部材２６から横方向外向きに突出するラグ２５（図４）を受け入れるためである。リフト部材２６の動きを停止ラグ２１ａとの係合によって限定することもできる。
【００１２】
図４にはバッグ２７の一部分が示されており、このバッグ２７は、廃棄物容器１０のバッグ受入れ区域１４の中に配置されて、周知の方法で上縁部１３の上にかけることができる開放上端部又はネック２８を有する、バッグ２７が上縁部１３の上に過度に緩く嵌合される場合には、ネック２８の過剰な材料をかき寄せてギャザー部分２９にしてもよく、これは従来の配置では結んで結び目にしてバッグ２７をより堅く取り付けていたが、廃棄物容器１０の中で下記の改善された方法で保持される。
【００１３】
次に特に図３〜７を参照すると、結合部分１５はロック部分３０を含む。詳しくは、チャネル１８の上端部を覆ってハンドル・アーム２０の間で周囲側壁１１から後向きに突き出た平坦な頂壁３１が備えられている。ハンドル・アーム２２の間に突き出た頂壁１１の部分の対向する両端部には切欠き付きの区域３２が備えられ、リフト部材２６のための隙間を提供する（図４及び５を参照）。頂壁３１の後縁部は付随フランジ３３によって境界付けられ、剛性を提供する（図６を参照）。周囲側壁１１のすぐ後方の頂壁３１には、貫通スロットであってもよい矩形凹所３４が形成されている。凹所３４は三方の側で付属フランジ３５によって境界付けられている（図６）。凹所３４の一端部には、浮き上りが頂壁３１の上部表面に形成されて窪んだ棚３６を画定し（図３）、この棚３６から停止タブ３７が横方向に凹所３４の中に突出している。凹所３４の両端間を旋回軸３８（図３）が延在しており、旋回軸３８はその対向する両端に隣接して拡大直径円筒状ベアリング端部４２を備え、これらのベアリング端部４２はそれぞれ拡大直径結合板３９ａによってフランジ３５に合体されている。
【００１４】
次にさらに図８〜１０を参照すると、ロック部分３０はさらに凹所３４の中に受入れ可能なロック部材４０を含む。具体的には、ロック部材４０は、支持端部４２で終端している平坦で矩形の底壁４１を有する。底壁４１から支持端部４２に隣接して隆起ハンドル・タブ４３が後方上向きに突出している。底壁４１から、その前縁部において不規則な裏打ちプレート４５が下方に付随しており、この裏打ちプレート４５は上部ローブ４６と下部ローブ４７を画定し、前記プレート４５は周囲壁４８によって境界付けられ、周囲壁４８は前記プレート４５からこれに垂直に延在し、凹所３４の幅よりも小さな底壁４１の幅と実質的に等しい幅を有する。ローブ４６及び４７は、裏打ちプレート４５の中に形成された２つの切欠きによって分離されている。旋回切欠き５０は、部分円筒状部分５１と、部分円筒状部分５１に向かって収束する平面壁５２及び５３によって画定された入口部分とを有し、これらの両部分は、部分円筒状部分５１の直径より小さな幅を有するスロート５４において連絡している。平面壁５２は底壁４１の下側に沿って形成されている。バッグ保持切欠き５５は、部分円筒状部分５６と、部分円筒状部分５６に向かって収束する２つの平面壁５７及び５８によって画定された入口部分とを有し、これらの両部分は、部分円筒状部分５６の直径より小さな幅を有するスロート５９において連絡している。部分円筒状切欠き部分５１及び５６の周りに延在する周囲壁４８の部分はそれぞれ、互いに当接して配置された部分円筒状ハブ６０及び６１を画定する。ローブ４６及び４７の上に、それぞれ停止ラグ６２及び６３が周囲壁４８から外向きに突出している。
【００１５】
組み立てた状態では、旋回切欠き５０は旋回軸３８の上に嵌合し、下部ローブ４７は停止タブ３７に面し、下向きに突出して凹所３４の中に入る。平面壁５２及び５３は、旋回軸３８を旋回切欠き５０のスロート５４の中に案内し、スロート５４は旋回軸３８のベアリング部分３９の直径よりやや小さな幅を有する。これらの部品は、スロート５４を通って旋回軸３８を旋回切欠き５０の部分円筒状部分５１の中にピシッと入れることができる十分な可撓性を有し、ベアリング部分３９はハブ６０とは旋回支承関係の状態で配置されている。次に、ロック部材４０を、図５〜７に示す解除位置と図２、４、及び１０に示すロック位置との間で旋回運動させることもできる。理解できるように、ロック位置では、ロック部材の底壁４１の支持端部４２は窪んだ棚３６の上に静止し、停止ラグ６２は停止タブ３７の下側を圧迫し、バッグ支持切欠き５５は頂壁３１下方の凹所３４の中に隠される。解除位置では、ハンドル・タブ４３は、図５に示すように凹部３４の左側端部において頂壁３１の上部表面に当って止まり、停止ラグ６３は停止タブ３７の上側を圧迫し、バッグ保持切欠き５５は頂壁３１の上方に配置され、上向きに開いている。
【００１６】
使用中は、バッグ２７を確実に保持するために、ロック部材４０を図５及び７に示すようにその解除位置に旋回し、バッグ・ネック２８のギャザー部分２９をバッグ保持切欠き５５の中に上から押し込み、スロート５９を通じて部分円筒状部分５６の中に強制的に入れ、ギャザー部分２９を後方に、バッグが上縁部１３の外側にぴったり嵌るまで引っ張るが、ギャザー部分２９の過剰部分は後方にロック部材４０の先まで突出する（図７を参照）。幅が狭くなったスロート５９によって、切欠き５５の部分円筒状部分５６におけるバッグのギャザー部分２９の保持を容易になる。次にロック部材４０を、そのロック位置に（図７に示すように逆時計回りに）旋回する。この動きの間、ロック部材４０が解除位置を離れるので、停止ラグ６３は停止タブ３７を通り過ぎてカム動作を行い、停止ラグ６２は停止タブ３７を通り過ぎてこの下方までカム動作を行い、ロック位置への到着を合図し、この位置にロック部材４０を保持する。この動きは、バッグ２７のギャザー部分２９をロック部材４０のいずれの側にも引き下げて凹所３４に入れ、曲りくねったバッグ経路６５を形成し（図１０を参照）、このバッグ経路６５は、バッグのギャザー部分２９のバッグ保持切欠き５５からの引き出しに対して高い抵抗摩擦を作り出す。
【００１７】
バッグ２７を空にするか処分することを所望されるときは、ハンドル・タブ４３を使用してロック部材４０を旋回してその解除位置に戻し、ギャザー部分２９をバッグ保持切欠き５５から離脱できるようにする。この動きの間、ロック部材４０がロック位置を離れるので、停止ラグ６２は停止タブ３７を通り過ぎてカム動作を行い、停止ラグ６３は停止タブ３７を通り過ぎてこの上方までカム動作を行い、解除位置への到着を合図し、この位置にロック部材４０を保持する。
【００１８】
廃棄物容器１０の一構造モデルにおいて、これを適当なプラスチック材料で形成してもよく、成形などによって形成してもよい。しかし、所望される場合には他の材料を使用できることも理解されよう。さらに、図示された実施例ではバッグ・ホルダは本質的に廃棄物容器１０の範疇に入るが、上記のロック機構を他の形式の容器と共に、又はバッグとは独立した受入れ容器を画定しない開放フレーム式バッグ保持デバイスの上で利用できることも理解されよう。このような開放フレームを、金属容器の上に取り付けたプラスチック・フレームなどの、異なる材料で形成された容器の上端部の上に取り付けることもできる。
【００１９】
上述の内容から、構造が簡単で経済的であり使用が容易で確実なバッグ保持を特徴とする、改善されたバッグ保持装置と方法が提供されたことが理解できる。
【００２０】
上記の説明と添付の図面において言及した内容は、単に説明のために供されたものであり、本発明を限定するものではない。特定の実施例を図示及び説明したが、出願人の貢献のさらに広い態様から逸脱することなく変更や修正を行ってもよいことは、当業者には明白であろう。要求される保護の実際の範囲は、従来の技術に基づく正しい展望で見るとき、上記の特許請求の範囲に中で定義されるものとする。
【図面の簡単な説明】
【００２１】
【図１】廃棄物容器の部分斜視図である。
【図２】図１に示す容器の一部分を拡大した部分斜視図である。
【図３】容器のふたを外し、ロック部材を外した、図２に示す部分の部分上面図である。
【図４】図３と同様な図であるが、そのロック位置にあって可撓性廃棄物バッグを保持しているロック部材を示す図である。
【図５】図４と同様な図であるが、その解除位置にあってバッグが外されているロック部材を示す図である。
【図６】図５の容器部分の底後部の部分斜視図である。
【図７】ロック部材切欠きの中への可撓性廃棄物バッグのかき寄せを示す、図６の容器部分の部分後部立面図である。
【図８】旋回軸を示す、図７のバッグ・ホルダのロック部材の斜視図である。
【図９】図８のロック部材の後部立面図である。
【図１０】図４の線１０−１０に概して沿ってとった部分拡大断面図である。
【図１】
2007529377.tif 000003
【図２】
2007529377.tif 000004
【図３】
2007529377.tif 000005
【図４】
2007529377.tif 000006
【図５】
2007529377.tif 000007
【図６】
2007529377.tif 000008
【図７】
2007529377.tif 000009
【図８】
2007529377.tif 000010
【図９】
2007529377.tif 000011
【図１０】
2007529377.tif 000012
【国際調査報告】
2007529377.tif 000013